(57)【要約】【課題】  薄手の通帳ケースでありながら、通帳の磁気データの保護が確実に図れ、多様なデザインへも容易に対応可能な磁気シールド通帳ケースを提供する。【解決手段】  二つの長方形状片２，２が見開き状に連接された通帳ケース１である。各長方形状片２は、合成樹脂製の透明又は半透明なケース本体４内に、磁気遮蔽材５が収容されて構成される。磁気遮蔽材５は、厚さ０．０５ｍｍの高透磁率材の両面に紙が貼られて構成される厚さ０．３ｍｍの長方形状の板材とされている。磁気遮蔽材５自体またはこれに貼り付けられる紙に、デザイン印刷１６が施されている。【選択図】      図１
0003210342.tif 000002
【実用新案登録請求の範囲】
【請求項１】
二つの長方形状片が袋状または見開き状に連接されたケース本体と、そして
収納された通帳の磁気記録部のデータを保護するために、前記各長方形状片内に保持された厚さ０．３ｍｍ以下の磁気遮蔽材とからなることを特徴とする磁気シールド通帳ケース。
【請求項２】
前記磁気遮蔽材は、複数枚積層されていることを特徴とする請求項１に記載の磁気シールド通帳ケース。
【請求項３】
前記磁気遮蔽材は、発泡プラスチックシートを含んでいることを特徴とする請求項１又は２に記載の磁気シールド通帳ケース。
【請求項４】
前記ケース本体は、透明又は半透明な合成樹脂からできており、
前記磁気遮蔽材は、厚さ０．０５ｍｍ前後の高透磁率材の両面に紙が貼られた長方形状の板材からなり、そして
前記磁気遮蔽材自体または前記磁気遮蔽材に貼り付けられた紙にはデザイン印刷が施されていることを特徴とする請求項１ないし３のいずれか１項に記載の磁気シールド通帳ケース。
【請求項５】
前記ケース本体は、前記二つの長方形状片の三辺を互いに溶着または接着され、残り一辺を開口部とした袋状に形成されており、
前記ケース本体の前記各長方形状片の内部にそれぞれ、通帳と同じかそれより大きい長方形状の前記磁気遮蔽材が密閉されており、
前記ケース本体は、前記磁気遮蔽材の張り付きを防止するシボ付き加工が施されており、
前記磁気遮蔽材は、４０ｍＴの磁束密度を持つ永久磁石を接触させた場合に、反対面の磁束密度を１５ｍＴ以下に減衰させる材料で形成されており、そして
前記袋状のケース本体の外面側となる面にはデザイン印刷が施されていることを特徴とする請求項４に記載の磁気シールド通帳ケース。
【請求項６】
前記ケース本体は、前記二つの長方形状片が長辺部にて互いに連接され、その長辺部にて二つ折り可能な見開き状に形成されており、
少なくとも一方の前記長方形状片には、前記ケース本体を二つ折りした際に内側となる面に、通帳を収容するポケットがその開口部を前記長辺部へ向けて設けられており、
前記ケース本体の前記各長方形状片の内部にそれぞれ、通帳と同じかそれより大きい長方形状の前記磁気遮蔽材が密閉されており、
前記ケース本体は、前記磁気遮蔽材の張り付きを防止するシボ付き加工が施されており、
前記磁気遮蔽材は、４０ｍＴの磁束密度を持つ永久磁石を接触させた場合に、反対面の磁束密度を１５ｍＴ以下に減衰させる材料で形成されており、そして
前記ケース本体を二つ折りした際に外面側となる面にはデザイン印刷が施されていることを特徴とする請求項４に記載の磁気シールド通帳ケース。
【請求項７】
前記磁気遮蔽材は、前記ケース本体を二つ折りした際に内面側となる面にもデザイン印刷が施されていることを特徴とする請求項６に記載の磁気シールド通帳ケース。
【請求項８】
少なくとも一方の前記長方形状片には、前記ケース本体を二つ折りした際に内側となる面には、さらに小ポケットが設けられていることを特徴とする請求項６または請求項７に記載の磁気シールド通帳ケース。
【考案の詳細な説明】
【技術分野】
【０００１】
本考案は、預金通帳を収容するための通帳ケースに関し、特に、通帳の磁気テープに記録されたデータを保護する磁気シールド通帳ケースに関するものである。
【背景技術】
【０００２】
近年、携帯電話は、急速に普及し、現在では普及率が７５％を超えている。携帯電話が普及するに伴い、通帳などの磁気記録媒体の磁気エラー発生件数も増加している。たとえば通帳の場合、携帯電話と一緒にバッグに入れて持ち歩くことで、磁気エラーを生じるおそれがある。携帯電話は、通常、外部スピーカーを有しており、スピーカーには永久磁石が使われているため、スピーカー近辺より外部磁界が漏れている。そのため、たまたま通帳と携帯電話とが接触または近接し、磁気記録媒体の磁気記録層を消去または乱すおそれがある。これは、特に、通帳で主流とされている抗磁力３００θe（エルステッド）（＝２４ｋＡ／ｍ）の磁気テープの場合に顕著であり、磁気テープ部分が携帯電話と接触すると、高い確率で磁気データの読み取りが困難となるものであった。
【考案の概要】
【考案が解決しようとする課題】
【０００３】
通帳は、通常、通帳ケースに収納されるが、一般的に広く普及している薄手のビニール製の通帳ケースでは、磁気シールド効果はほとんど期待できない。そこで、従来、発泡ウレタン樹脂等のクッション素材を磁気遮蔽材に使用したものがある。しかしながら、この場合、外部磁界を発生させる携帯電話等と通帳ケースとが密着し、さらに圧力がかかった場合、そのクッションが潰れ、記録媒体との距離が縮まることで、記録媒体への影響が高くなる欠点があった。
【０００４】
また、従来、ケース本体内に金属板の付いた台紙を収容したものもある。しかしながら、この場合、台紙が分厚いので、通帳ケースの取扱いや製造コストに難点があった。さらに、従来の通帳ケースは、いずれも多様なデザインへの容易な対応が困難であった。
【０００５】
本考案が解決しようとする課題は、薄手の通帳ケースでありながら、通帳の磁気データの保護が確実に図れ、多様なデザインへも容易に対応可能な磁気シールド通帳ケースを提供することにある。
【課題を解決するための手段】
【０００６】
本考案は、前記課題を解決するためになされたものであり、本考案の一の態様は、磁気シールド通帳ケースが、二つの長方形状片が袋状または見開き状に連接されたケース本体と、そして収納された通帳の磁気記録部のデータを保護するために、前記各長方形状片内に保持された厚さ０．３ｍｍ以下の磁気遮蔽材とからなることに特徴がある。
【０００７】
本考案の他の態様は、磁気シールド通帳ケースが、前記磁気遮蔽材は複数枚積層されていることに特徴がある。
【０００８】
本考案の他の態様は、磁気シールド通帳ケースが、前記磁気遮蔽材は発泡プラスチックシートを含んでいることに特徴がある。
【０００９】
本考案の他の態様は、磁気シールド通帳ケースが、前記ケース本体は、透明又は半透明な合成樹脂からできており、前記磁気遮蔽材は、厚さ０．０５ｍｍ前後の高透磁率材の両面に紙が貼られた長方形状の板材からなり、そして前記磁気遮蔽材自体または前記磁気遮蔽材に貼り付けられた紙にはデザイン印刷が施されていることに特徴がある。
【００１０】
本考案の他の態様は、磁気シールド通帳ケースが、前記ケース本体は、前記二つの長方形状片の三辺を互いに溶着または接着され、残り一辺を開口部とした袋状に形成されており、前記ケース本体の前記各長方形状片の内部にそれぞれ、通帳と同じかそれより大きい長方形状の前記磁気遮蔽材が密閉されており、前記ケース本体は、前記磁気遮蔽材の張り付きを防止するシボ付き加工が施されており、前記磁気遮蔽材は、４０ｍＴの磁束密度を持つ永久磁石を接触させた場合に、反対面の磁束密度を１５ｍＴ以下に減衰させる材料で形成されており、そして前記袋状のケース本体の外面側となる面にはデザイン印刷が施されていることに特徴がある。
【００１１】
本考案の他の態様は、磁気シールド通帳ケースが、前記ケース本体は、前記二つの長方形状片が長辺部にて互いに連接され、その長辺部にて二つ折り可能な見開き状に形成されており、少なくとも一方の前記長方形状片には、前記ケース本体を二つ折りした際に内側となる面に、通帳を収容するポケットがその開口部を前記長辺部へ向けて設けられており、前記ケース本体の前記各長方形状片の内部にそれぞれ、通帳と同じかそれより大きい長方形状の前記磁気遮蔽材が密閉されており、前記ケース本体は、前記磁気遮蔽材の張り付きを防止するシボ付き加工が施されており、前記磁気遮蔽材は、４０ｍＴの磁束密度を持つ永久磁石を接触させた場合に、反対面の磁束密度を１５ｍＴ以下に減衰させる材料で形成されており、そして前記ケース本体を二つ折りした際に外面側となる面にはデザイン印刷が施されていることに特徴がある。
【００１２】
本考案の他の態様は、磁気シールド通帳ケースが、前記磁気遮蔽材は、前記ケース本体を二つ折りした際に内面側となる面にもデザイン印刷が施されていることに特徴がある。
【００１３】
さらに、本考案の他の態様は、磁気シールド通帳ケースが、少なくとも一方の前記長方形状片には、前記ケース本体を二つ折りした際に内側となる面には、さらに小ポケットが設けられていることに特徴がある。
【考案の効果】
【００１４】
本考案によれば、薄手の通帳ケースでありながら、通帳の磁気データの保護が確実に図れ、多様なデザインへも容易に対応可能な磁気シールド通帳ケースを提供することができる。
【図面の簡単な説明】
【００１５】
【図１】本考案の磁気シールド通帳ケースの実施例１を示す見開き状態の斜視図であり、通帳収納時を示している。
【図２】図１の磁気シールド通帳ケースを二つ折りした状態の斜視図である。
【図３】図１の磁気シールド通帳ケースを二つ折り状態の長辺側から見た側面図であり、通帳収納時を示している。
【図４】図１の磁気シールド通帳ケースの長方形状片の断面図である。
【図５】本考案の磁気シールド通帳ケースの実施例２を示す斜視図であり、通帳やカードの収納時を示している。
【図６】本考案の磁気シールド通帳ケースの実施例３を示す斜視図であり、通帳の収納時を示している。
【図７】本考案の実施例の磁気シールド通帳ケースの性能検証結果を示すグラフである。
【考案を実施するための形態】
【００１６】
以下、本考案の一実施形態に係る磁気シールド通帳ケースについて、図面を参照しながら詳細に説明する。なお、本考案は、以下に示される実施例に限定されるものではなく、本考案の技術的思想を逸脱しない範囲内で各種の変更が可能である。
【実施例１】
【００１７】
図１から図３は、本考案の磁気シールド通帳ケースの実施例１を示す図であり、図１は見開き状態の斜視図であり通帳を収納する際の状態を示しており、図２は二つ折り状態の斜視図、図３は二つ折り状態の長辺側から見た側面図であり通帳収納時を示している。また、図４は、本実施例の磁気シールド通帳ケースの長方形状片の断面図である。
【００１８】
本実施例の磁気シールド通帳ケース１は、二つ折り可能な見開きタイプである。すなわち、同一形状の二つの長方形状片２，２が、その長辺部にて互いに連接されており、その長辺部にて二つ折り可能とされている。各長方形状片２は、通帳３よりも若干大きな長方形の板状に形成されている。各長方形状片２は、合成樹脂製の透明なケース本体４内に、長方形の板状の磁気遮蔽材５が収容されて構成される。そして、各長方形状片２には、二つ折りした際に内側となる面に、通帳３を収容するポケット６がその開口部を前記長辺部へ向けて設けられている。
【００１９】
なお、本実施形態では図示しないが、磁気遮蔽材５は１枚でも複数枚積層されていてもよく、複数枚積層されている場合はより高い磁気遮蔽効果を得ることができる。また、磁気遮蔽材５へ発泡プラスチックシートを組み合わせてスペーシングロスを増加させることによっても磁気遮蔽効果をより一層高めることもできる。
【００２０】
本実施例では、見開き状態の大きさの二枚の合成樹脂製の主シート７，７が重ね合わされると共に、その主シート７，７間に磁気遮蔽材５が挟み込まれて収容されて構成される。その際、二枚の磁気遮蔽材５，５が、その長辺部を互いに離隔して前後に配置され、主シート７の前後端辺８，９および左右端辺１０，１１に沿って、主シート７，７同士が互いに熱溶着または接着される。また、ケース本体４には、二つ折りした際に内側となる面に、左右方向寸法は長方形状片２と同じであるが前後方向寸法は短い補助シート１２が、前後両端部に重ね合わされて、主シート７の前後端辺８，９および左右端辺１０，１１に沿って、同時に熱溶着または接着される。さらに、主シート７，７同士は、二つ折りする際の折り目となる前後方向中央部１３も、左右方向へ沿って互いに熱溶着または接着される。
【００２１】
これにより、前後両端部に、同一形状の長方形状片２，２が形成され、中央部１３にて二つ折り可能とされる。また、各長方形状片２の内部には、通帳３と同じかそれより若干大きな長方形状の磁気遮蔽材５が密閉される。この磁気遮蔽材５の外周部に沿って、主シート７，７同士が熱溶着または接着されることで、主シート７に対する磁気遮蔽材５の位置決めがなされる。さらに、主シート７と補助シート１２との間で、ポケット６が形成され、図１に示すように、それぞれに通帳３の収納が可能とされる。各ポケット６は、その開口部を前後方向中央部１３へ向けているので、磁気シールド通帳ケース１を二つ折りした状態では、通帳３の脱落が確実に防止される。しかも、通帳３を収納して二つ折りした状態では、通帳３は二枚の磁気遮蔽材５，５間に配置されて保護される。
【００２２】
主シート７と補助シート１２とから構成されるケース本体４は、透明な合成樹脂により形成するのがよい。また、ケース本体４は、暈し又は細かい模様が多数形成されることにより実質的に半透明状態となっている合成樹脂シート（片）からできていてもよい。その材質は特に問わないが、本実施例ではポリ塩化ビニル（ＰＶＣ）またはオレフィンにより形成される。ケース本体４は、磁気遮蔽材５などの張り付きを防止するために、シボ付き加工などを施すのが好ましい。
【００２３】
磁気遮蔽材５は、通帳３の磁気テープ（磁気記録部）のデータを保護する厚さ０．３ｍｍ以下の長方形の板材である。磁気遮蔽材５は、４０ｍＴの磁束密度を持つ永久磁石を接触させた場合に、反対面の磁束密度を１５ｍＴ以下に減衰させることができるものである。具体的には、磁気遮蔽材５は、厚さ０．０５ｍｍ前後の高透磁率材１４の両面に紙１５，１５が貼られて構成される厚さ０．３ｍｍ以下の長方形状の板材とされている。
【００２４】
より具体的には、本実施例の磁気遮蔽材５は、厚さ０．０５ｍｍの鉄板１４の両面にそれぞれ、厚さ０．１２５ｍｍのコート紙１５が貼り付けられて、厚さ０．３ｍｍの長方形の紙片状に形成されている。各磁気遮蔽材５には、所望によりその片面または両面に、デザイン印刷１６が施される。すなわち、オフセット印刷などで、デザイン（文字、図形・イラスト、記号など、またはこれらの組合せ）が施される。このデザイン印刷１６は、モノクロ印刷でもよいがカラー印刷が好ましい。デザイン印刷１６は、磁気遮蔽材５を構成する紙１５に直接施してもよいが、図４に示すように、別途、コート紙やアート紙に施した印刷物１７を、磁気遮蔽材５に貼り付けてもよい。この印刷物１７は、磁気遮蔽材５の両面の各紙厚と同じか、それよりも薄いのが好ましい。
【００２５】
本実施例のような見開きタイプの場合、二つ折りした際に外側となる面に、デザイン印刷１６を施すのが好ましいが、さらに二つ折りした際に内側となる面にも、デザイン印刷１６を施すこともできる。いずれの面にどのような印刷を施すかは、適宜に設定されるのは言うまでもない。
【実施例２】
【００２６】
図５は、本考案の磁気シールド通帳ケース１の実施例２を示す斜視図であり、通帳３やカード１８を収納する際の状態を示している。本実施例２の磁気シールド通帳ケース１は、基本的には前記実施例１の磁気シールド通帳ケース１と同様である。そこで、以下では、両者の異なる点を中心に説明し、対応する箇所には同一の符号を付して説明する。
【００２７】
本実施例２の磁気シールド通帳ケース１は、二つ折りした際に内側となる面の一方に、二つの小ポケット１９をさらに設けた点において、前記実施例１と相違する。すなわち、手前側の長方形状片２には、二つ折りした際に内側となる面に、左右方向寸法は長方形状片２と同じであるが前後方向寸法は前記補助シート１２よりもさらに短いポケットシート２０が、前端辺８を主シート７や補助シート１２と揃えて重ね合わされる。そして、ポケットシート２０は、その前端辺８と左右両端辺１０，１１とにおいて、主シート７および補助シート１２に熱溶着または接着されている。
【００２８】
また、ポケットシート２０は、左右方向中央部２１においても、前後方向へ沿って線状に、補助シート１２との間を熱溶着または接着されている。これにより、開口部を前後方向中央部へ向けて、二つの小ポケット１９が左右に形成される。各小ポケット１９には、キャッシュカードや振込カード（振込券）などを収納することができる。
【実施例３】
【００２９】
図６は、本考案の磁気シールド通帳ケース１の実施例３を示す斜視図であり、通帳３を収納する際の状態を示している。本実施例３の磁気シールド通帳ケース１も、基本的には前記実施例１の磁気シールド通帳ケース１と同様である。そこで、以下では、両者の異なる点を中心に説明し、対応する箇所には同一の符号を付して説明する。
【００３０】
前記実施例１および前記実施例２の磁気シールド通帳ケース１は見開きタイプであったが、本実施例３の磁気シールド通帳ケース１は袋タイプとされている。すなわち、ケース本体４は、二つの長方形状片２，２の三辺を互いに熱溶着または接着され、残り一辺を開口部とした袋状に形成されている。この際、図示例のように、袋の開口部において、一方の長方形状片２を他方の長方形状片２とずらしたり、あるいは一方の長方形状片２に適宜の切欠きを形成したりすれば、袋状の磁気シールド通帳ケース１への通帳３の収納が容易となる。
【００３１】
本実施例３においても、前記実施例１と同様に、ケース本体４の各長方形状片２の内部には、それぞれ通帳３と同じかそれより若干大きい長方形状の磁気遮蔽材５が密閉されている。本実施例３では、袋状のケース本体４の外面側となる面にデザイン印刷１６を施すのが通常であるが、袋の内面側となる面にも所望によりデザイン印刷１６を施してもよい。その他の構成は、前記実施例１と同様である。
【００３２】
前記各実施例の磁気シールド通帳ケース１では、厚さ０．３ｍｍ以下の薄いコート紙風の磁気遮蔽材５を用いている。通帳３を挟む両側に、磁束を吸収しやすい磁気遮蔽材（高透磁率材料）５を配置することで、内部の通帳３への磁界を微弱にし、磁気記録データへの影響を減少させることができる。
【００３３】
図７は、前記各実施例の磁気シールド通帳ケース１の性能検証結果を示すグラフである。この図は、外部磁界による通帳磁気データへの影響の検証結果を示すものであり、破線は、通帳３をケースに入れずに剥き出しの場合を示し、実線は、本実施例の磁気シールド通帳ケース１に通帳３を入れた場合を示している。
【００３４】
ＡＴＭ端末機による通帳３の磁気テープの磁気読取可能レベルは、機種により多少異なるものの、概ね、図中の水平な破線より上部領域は読取可能である。すなわち、一般に、磁気データの読取出力は、５０％以上であれば読取可能である。一般的な携帯電話の外部スピーカー付近の磁束密度（Ｇ）は、２５０Ｇ〜４５０Ｇであるので、その範囲で見ると、ケース無しの通帳では磁気データの読取りが不可能となるが、本実施例の磁気シールド通帳ケース１に入れている場合には、読取りが可能である。従って、本実施例の磁気シールド通帳ケース１に通帳３を収納しておけば、仮に通帳３の磁気記録部に携帯電話の外部スピーカーが接触しても、ＡＴＭ端末機での認識が不可能になるおそれはない。
【００３５】
ところで、本実施例の磁気シールド通帳ケース１には、磁気遮蔽材５に非クッション性素材を用いている。しかも、内部に非常に薄いが金属板１４を備えている。従って、携帯電話などと密着し、さらに圧力がかかった場合も、潰れることなくその効果を発揮する。また、磁気遮蔽材５は、非常に薄いので、女性の小さなバッグにおいても、かさばらない。
【００３６】
また、本実施例の磁気遮蔽材５は、外観が紙調であり、磁気遮蔽材５自体にデザイン印刷１６が施されるか、デザイン印刷１６が施された印刷物１７が磁気遮蔽材５に貼り付けられる。そして、そのような磁気遮蔽材５が、透明で柔軟な素材から形成されるケース本体４内に収容される。従って、デザイン性を損なわない。また、透明材料を使用し、ケース本体４内にカラーデザイン用紙を用いることにより、多様なデザインの通帳ケースを安価に提供できる。
【００３７】
ところで、ケース本体４を透明にした場合、磁気遮蔽材５の板面にデザインを配置しても、側面は材料自体がむき出しになるため、従来のような発泡材料やボール紙などを用いた構成では、いずれもデザイン的な観点から実質的に透明にできなかった。しかしながら、本実施例の構成によれば、外観は通常のパンフレット等に使用するコート紙と同様であり、厚さも薄く側面から見てもデザイン性を損なわないので、ケース本体４を透明にして、内部の印刷を変えるだけで多様なデザインに容易に対応可能となる。
【００３８】
また、従来、通帳ケースをカラーデザインにする場合、ケース表面にオフセットカラー印刷を施し、フィルムをラミネートして保護する製造方法が採用されている。しかしながら、この方法では、加工工数が多く、コスト高とならざるを得なかった。本実施例の構成によれば、磁気遮蔽材５に直接にオフセットカラー印刷を施すか、あるいは磁気遮蔽材５にオフセットカラー印刷物１７を貼り付け、透明ケース本体４内に収容する構成のため、安価に多様なカラーデザインの通帳ケースを提供できる。
【００３９】
この際、従来は、銀行ロゴのみの通帳ケースが主流であったが、カラーデザインが容易に可能であることから、ノベルティグッズとしても利用できる。また、デザインに広告媒体を掲載することで、企業負担をより少なくし、磁気シールドケースを配布することが可能となる。すなわち、金融機関での配布や販売に限らず、百貨店や文具店においても、キャラクターなどを施した通帳ケースを販売したり、街角で配布したりするのに適する。さらに、各自が紙媒体や電子データとして持ち込んだ写真やイラストなどを店頭で、磁気遮蔽材５に施してケース本体４に収容することで、オリジナルの通帳ケースを製作することもできる。
【００４０】
さらに、磁気シールド通帳ケース１を見開きタイプとした場合、二つ折りした際に外側となる面だけでなく、内側となる面にも、デザインを配することができ、袋タイプの二倍の広告等掲載可能範囲を得ることができる。
【００４１】
本考案の磁気シールド通帳ケース１は、前記各実施例の構成に限らず、適宜変更可能である。たとえば、前記実施例１や前記実施例２では、二つ折りした際に内側となる両面に、通帳収納用のポケット６を設けたが、場合によりいずれか一方でも足りる。また、前記実施例２において形成される小ポケット１９は、その形成位置や大きさや形成個数などは、適宜に変更可能である。
【符号の説明】
【００４２】
１  磁気シールド通帳ケース
２  長方形状片
３  通帳
４  ケース本体
５  磁気遮蔽材
６  ポケット
１４  高透磁率材
１５  紙
１６  デザイン印刷
１７  印刷物（紙）
１９  小ポケット
【図１】
0003210342.tif 000003
【図２】
0003210342.tif 000004
【図３】
0003210342.tif 000005
【図４】
0003210342.tif 000006
【図５】
0003210342.tif 000007
【図６】
0003210342.tif 000008
【図７】
0003210342.tif 000009